(57)【要約】【課題】レンズを透過していない赤外線の影響を低減し、良好な赤外線画像を撮像できる赤外線カメラを得る。【解決手段】赤外線カメラ１００を、レンズ１と鏡筒２よりなるレンズユニット３、レンズユニット３に設けられ、レンズ１を加熱するヒータ４、レンズ１が集光した赤外線を撮像する赤外線撮像素子５、レンズユニット３と断熱されて鏡筒２の外側面側に固定され、赤外線撮像素子５を収容する筐体７、レンズ１の光軸１ａ方向において、筐体７内の鏡筒２と赤外線撮像素子５との間に配置され、赤外線撮像素子５に向かって放射されるレンズ１を透過していない赤外線を遮断する遮光部材８を備えた構成とする。【選択図】図１
2018077072.tif 000002
【特許請求の範囲】
【請求項１】
赤外線を集光するレンズと上記レンズを保持する鏡筒を有するレンズユニット、
上記レンズユニットに設けられ、上記レンズを加熱するヒータ、
上記レンズが集光した赤外線を撮像する赤外線撮像素子、
上記レンズユニットと断熱されて上記鏡筒の外側面側に固定され、上記赤外線撮像素子を収容する筐体、
上記レンズの光軸方向において、上記筐体内の上記鏡筒と上記赤外線撮像素子との間に配置され、上記赤外線撮像素子に向かって放射される上記レンズを透過していない赤外線を遮断する遮光部材を備えたことを特徴とする赤外線カメラ。
【請求項２】
上記遮光部材は、上記鏡筒および上記筐体から放射された赤外線を遮断することを特徴とする請求項１記載の赤外線カメラ。
【請求項３】
上記筐体は、断熱部材によって構成されたことを特徴とする請求項１または請求項２記載の赤外線カメラ。
【請求項４】
上記筐体は、熱伝導性部材によって構成され、上記鏡筒の外側面側に断熱部材を介して配設されたことを特徴とする請求項１または請求項２記載の赤外線カメラ。
【請求項５】
上記遮光部材は、上記筐体の内側面から、上記レンズの光軸に向かって突出した形状であり、上記筐体と一体に設けられたことを特徴とする請求項１から４のいずれか一項記載の赤外線カメラ。
【請求項６】
上記ヒータは、上記鏡筒に設けられたことを特徴とする請求項１から５のいずれか一項記載の赤外線カメラ。
【請求項７】
上記ヒータは、上記レンズの光軸方向において、上記鏡筒の上記赤外線撮像素子に近い側の端面に、上記遮光部材の遮光面に対向するように設けられたことを特徴とする請求項１から６のいずれか一項記載の赤外線カメラ。
【請求項８】
上記ヒータは、上記鏡筒の外側面に接して設けられたことを特徴とする請求項１から６のいずれか一項記載の赤外線カメラ。
【請求項９】
上記ヒータは、上記筐体の内側面側に設けられ、上記鏡筒と上記筐体との間に保持されたことを特徴とする請求項８記載の赤外線カメラ。
【請求項１０】
上記筐体は、樹脂材料によって構成されたことを特徴とする請求項１から３のいずれか一項記載の赤外線カメラ。
【請求項１１】
上記筐体は、金属材料によって構成されたことを特徴とする請求項１、請求項２、請求項４のいずれか一項記載の赤外線カメラ。
【発明の詳細な説明】
【技術分野】
【０００１】
本発明は、物体から放射される赤外線を撮像する赤外線カメラに関するものである。
【背景技術】
【０００２】
赤外線カメラは、筐体からレンズが露出した状態で用いられる。よって、赤外線カメラを屋外で使用する場合、外気にレンズが露出した状態となるため、気象の影響を受けやすい。例えば、外気温が氷点下になると、レンズが低温となり、レンズ表面の凍結、レンズ表面への霜の付着、降雪があった場合にはレンズ表面への雪の堆積などの現象が生じる場合がある。これらの現象が生じると、赤外線カメラのレンズの視界が遮られ、撮像に支障がでる。
【０００３】
レンズの低温化への対策として、赤外線カメラにヒータを設けることで、レンズを加熱する技術が提案されている (例えば、特許文献１参照)。
【先行技術文献】
【特許文献】
【０００４】
【特許文献１】特開２０１５−１４５８１号公報
【発明の概要】
【発明が解決しようとする課題】
【０００５】
例えば、特許文献１に開示された撮像装置にあっては、レンズで集光した被写体からの赤外線を撮像素子が検知し画像として表示する。しかし、得られる画像は、被写体以外から発せられる赤外線の影響を受けてしまう構成であった。つまり、筐体やレンズユニットなどの撮像装置自体から放射される赤外線を撮像素子が検知し、出力してしまうという問題があった。
【０００６】
また、特許文献１に示された撮像装置では、レンズユニットをヒータで加熱することでレンズが凍結しない構成としている。しかし、その一方で、ヒータにより加熱されたレンズユニットから放射される赤外線が増加し、また、加熱されたレンズユニットの熱が筐体に伝わることで、筐体の内部における赤外線放射が増加する状態となり、被写体以外から放射される赤外線が撮像画像に影響を与え、撮像精度が劣化するという課題があった。
【０００７】
この発明は、上記のような事情に鑑みてなされたものであり、その目的は、ヒータを駆動させることでレンズ表面に付着した雪や霜などを除去し赤外線カメラの視界を確保しつつ、ヒータ動作によるカメラ内部の温度上昇を抑え、筐体の内部に不要な赤外線を遮光する構成を設けることで、外乱となる不要な赤外線の赤外線撮像素子への入射を低減し、赤外線撮像素子から適切な出力を得ることができる赤外線カメラを提供することを目的とする。
【課題を解決するための手段】
【０００８】
この発明に係わる赤外線カメラは、赤外線を集光するレンズと上記レンズを保持する鏡筒を有するレンズユニット、上記レンズユニットに設けられ、上記レンズを加熱するヒータ、上記レンズが集光した赤外線を撮像する赤外線撮像素子、上記レンズユニットと断熱されて上記鏡筒の外側面側に固定され、上記赤外線撮像素子を収容する筐体、上記レンズの光軸方向において、上記筐体内の上記鏡筒と上記赤外線撮像素子との間に配置され、上記赤外線撮像素子に向かって放射される上記レンズを透過していない赤外線を遮断する遮光部材を備えたことを特徴とするものである。
【発明の効果】
【０００９】
この発明の赤外線カメラによれば、筐体をヒータから熱的に分離した上、レンズを透過していない不要な赤外線を遮光部材によって遮断する構成であるため、赤外線撮像素子によって撮像する赤外線画像への不要な赤外線の影響を低減することが可能となる。
【図面の簡単な説明】
【００１０】
【図１】本発明の実施の形態１の赤外線カメラの側断面図である。
【図２】本発明の実施の形態２の赤外線カメラの側断面図である。
【図３】本発明の実施の形態３の赤外線カメラの側断面図である。
【図４】本発明の実施の形態４の赤外線カメラの側断面図である。
【発明を実施するための形態】
【００１１】
実施の形態１．
本発明の実施の形態１の赤外線カメラ１００について、図１を用いて説明する。図１は、赤外線カメラ１００（赤外線カメラモジュール）のレンズ１の光軸１ａ方向に沿った側断面図であり、紙面左側に位置する被写体を撮像する場合の配置を示している。
【００１２】
図１に示すように、本発明による赤外線カメラ１００は、赤外線を集光し結像するためのレンズ１と、このレンズ１の外周部を保持する円筒状の鏡筒２を含むレンズユニット３を備えている。レンズ１の光軸１ａは、鏡筒２の中心軸と合致した配置となっている。
そして、このレンズユニット３に接するように、レンズ１を加熱するためのヒータ４が配設されている。図１の例では、ヒータ４は、レンズユニット３の鏡筒２の端面部に配置されている。レンズ１により結像された赤外線画像は、筐体７内に基板６を介して収容された赤外線撮像素子５において、電気信号に変換される。
【００１３】
筐体７は、レンズユニット３を保持する筒状部７ａと、赤外線撮像素子５を保持する本体部７ｂによって主に構成されている。そして、レンズユニット３の鏡筒２の外側面と、筐体７の筒状部７ａの内側面が接する状態となるように、レンズユニット３は、筐体７の筒状部７ａの内側面側に固定されている。
ここで、筐体７は、レンズユニット３と断熱された状態となっているが、具体的には、筐体７自体を、樹脂材料等の断熱性の高い部材（断熱部材）によって構成することで、レンズ１を積極的に加熱する構成を得るとともに、鏡筒２との断熱を可能としている。
【００１４】
さらに、この実施の形態１による赤外線カメラ１００は、レンズ１の光軸１ａ方向において、筐体７の筒状部７ａ内の、鏡筒２と赤外線撮像素子５との間に、遮光部材８を備えている。この遮光部材８は、レンズ１の外周部に位置する鏡筒２および筐体７の筒状部７ａから、赤外線撮像素子５に向かって放射される、レンズ１を透過していない赤外線（不要赤外線）を遮断するものである。なお、ヒータ４から放射される不要赤外線は、ここでは、ヒータ４が鏡筒２に設けられているため、鏡筒２からの不要赤外線の一部とみなすものとする。
【００１５】
遮光部材８は、例えば、断熱部材よりなる筐体７と一体に形成することができ、筐体７の筒状部７ａの内側面から、レンズ１の光軸１ａに向かって所定の高さに突出した形状に形成される。このとき、遮光部材８は、ヒータ４から断熱された筐体７に取り付けられているため、ヒータ４から断熱された状態となっている。そして、この遮光部材８は、例えば、平面形状がリング状となるように形成され、中央の開口部からは、レンズ１を透過した赤外線を赤外線撮像素子５へ透過させている。
【００１６】
図１に示すように、この実施の形態１の赤外線カメラ１００では、ヒータ４は、鏡筒２
に配設され、レンズ１の光軸１ａ方向において、鏡筒２の赤外線撮像素子５に近い側の端面に、空気層を介して、遮光部材８の遮光面（平面部）に対向するように配置されている。ヒータ４を、鏡筒２の赤外線撮像素子５に近い側の端面に配置しても、ヒータ４に対向する位置に遮光部材８を配設したことにより、ヒータ４から赤外線撮像素子５に向かって放射される不要な赤外線を遮断することができる。
なお、ヒータ４と遮光部材８との間に空気層が形成される構成とする以外に、空気層を断熱部材としてこれを配置した構成とすることも可能である。
【００１７】
また、ヒータ４に近接配置される鏡筒２や筐体７には、ヒータ４の熱が伝わり、筐体７の筒状部７ａの内部空間には、鏡筒２や筐体７からも不要な赤外線が放射されるが、遮光部材８を配設したことにより、それらの不要な赤外線も遮断し、赤外線撮像素子５に入射しないように構成している。
このように、本実施の形態１の赤外線カメラ１００では、ヒータ４の動作による昇温の影響を遮光部材８の配設によって排除し、レンズ１より導光された赤外線を、赤外線撮像素子５によって高精度に撮像することが可能となる。
【００１８】
また、図１に示すように、レンズ１は筐体７の筒状部７ａから外部に露出しており、外気に直接触れる状態となっている。上述したように、レンズユニット３は、レンズ１と鏡筒２からなり、その鏡筒２は、１枚もしくは複数枚のレンズ１を保持するとともに筐体７の筒状部７ａへの取り付け部を有している。
レンズ１の枚数が多い場合、最も外側の外気に晒されるレンズ１への加熱が可能となるよう、ヒータ４の配置を調整することが有効である。また、ヒータ４を、鏡筒２の端面部だけではなく、複数の箇所に設ける構成とすることも可能である。
【００１９】
そして、筐体７は、基板６上に搭載した赤外線撮像素子５を固定しており、レンズ１で集光された赤外線が赤外線撮像素子５の受光部に当たるよう、レンズユニット３側においてレンズ１の配置を調整し、赤外線撮像素子５との位置関係が適切となるように調整する構成となっている。
【００２０】
また、ヒータ４は、レンズユニット３に接触するよう固定されている。図１に例示したように、レンズユニット３の鏡筒２の端面に貼り付けた状態に接触させて配置する以外に、レンズ１の外周部に接触するように配置してもよい。
さらに、図１では、ヒータ４を鏡筒２の表面に接触させる場合を示したが、レンズ１を加熱できれば良く、鏡筒２の内部に埋め込んでもよい（図示せず）。
ここで、鏡筒２はレンズ１へ熱を伝えるよう、熱伝導率の高いアルミニウムなどの金属製の部材で構成されることが望ましい。
また、ヒータ４は、レンズユニット３に対し、熱伝導率の高い接着剤で固定してもよい。
【００２１】
このような構成とすることで、赤外線カメラ１００を屋外で使用する場合、外気温が氷点下となる状況下においても、レンズ表面の凍結、レンズ表面への霜の付着、降雪によるレンズ表面への雪の堆積などにより、赤外線カメラの視界が遮られてしまっても、ヒータの発熱によってレンズを効率的に加熱し、氷、霜、雪などを除去することができる。
【００２２】
また、遮光部材８は、レンズ１の光軸１ａ方向において、レンズユニット３と赤外線撮像素子５との間にあって、レンズ１の周辺部に位置する鏡筒２および筐体７から放射されるノイズとなる赤外線（不要赤外線）が、赤外線撮像素子５に入射しないよう、遮断する庇の役割を果たしている。これにより、赤外線撮像素子５において、レンズ１より導光した赤外線以外の不要赤外線による影響を低減し、適切な出力を得ることが可能である。
【００２３】
筐体７を、断熱性が高い材料で形成した効果について、以下に説明する。レンズユニット３をヒータ４で加熱すると、レンズユニット３と接する筐体７にも熱が伝達する。しかし、筐体７自体の断熱性が高いため、断熱材で構成していない場合よりも筐体７の温度上昇を小さく抑制することができる。また遮光部材８も、この断熱された筐体７に取り付けられているため、ヒータ４から断熱された状態が得られ、ヒータ４の加熱による遮光部材８の温度上昇を抑制することができる。物体（被写体）から放出される赤外線は、物体の温度が高い程大きくなるため、筐体７と遮光部材８の温度上昇が小さいと、これらの部品から放射される赤外線量も小さくなる。よって、筐体７を断熱材で形成し、さらに遮光部材８をこの筐体７に取り付けることによって、外乱となる不要赤外線を低減し、赤外線撮像素子５の適切な出力を得ることが可能となる。
【００２４】
ここで、筐体７は、例えばナイロン、ＰＢＴ（ポリブチレンテレフタレート）、ＰＰＳ（ポリフェニレンサルファイド）、ＬＣＰ（液晶ポリマー）といった樹脂材料によって構成することができ、遮光部材８についても、この筐体７と同様の材料によって構成することが可能である。これらの樹脂製であれば、射出成形などの方法で筐体７を製作することができるため、大量に生産する場合、筐体のコストをより安価にすることができる。
なお、遮光部材８は、筐体７と一体化させることにより、部品点数を削減でき、製造コストを安価に抑制することが可能となることは言うまでもない。
【００２５】
実施の形態２．
上述の実施の形態１においては、赤外線カメラ１００の構成要素として、断熱部材によって構成された筐体７が用いられた場合について説明したが、この実施の形態２では、熱伝導性部材によって構成された筐体７０を用いる場合について説明する。
図２は、この発明の実施の形態２による赤外線カメラ１００を示す側断面図である。図２に示すように、筐体７０は、熱伝導性部材によって構成されている。筐体７０は、筒状部７ａと本体部７ｂによって構成され、筒状部７ａの内側面とレンズユニット３の鏡筒２外側面との間には断熱部材９が配設され、筐体７０をヒータ４から断熱した構成となっている。
【００２６】
筐体７０および筐体７０に一体に形成される遮光部材８０は、それらの機能は実施の形態１の図１のものと同様であるが、この実施の形態２では、筐体７０および遮光部材８０は、いずれも金属材料で形成され、レンズユニット３とは、断熱部材９によって熱的に分離されている。なお、他の構成部材については、実施の形態１のものと同様である。また、遮光部材８０が、レンズ１を透過していない赤外線を遮断するように、筐体７０の筒状部７ａの内部に配設されている点についても、実施の形態１の場合と同様である。
【００２７】
次に、本実施の形態２の赤外線カメラ１００について、上述の実施の形態１との相違点について、以下に説明する。
この実施の形態２では、筐体７０とレンズユニット３の鏡筒２の間に断熱部材９が挿入されているため、ヒータ４が発熱してレンズユニット３の温度が上昇しても、筐体７０に熱が伝わりにくく、筐体７０および遮光部材８０の温度上昇は小さく抑えられる。その一方で、筐体７０と遮光部材８０は熱伝導性の良い金属材料で構成されているので、これら部品内での温度分布は均一となる。
つまり、筐体７０と遮光部材８０は、ヒータ４の加熱による温度上昇が小さく、さらには均一な温度分布を有している。
【００２８】
ここで、断熱部材９は、例えばＴＰＥ（熱可塑性エラストマー）、ＥＰＤＭ（エチレンプロピレンゴム）、エポキシ樹脂といった樹脂材で構成することが可能である。また、筐体７０は、例えばアルミニウムなどの熱伝導率の高い金属材料で構成できるが、他の材料で構成してもよい。
【００２９】
次に、断熱部材９を配置し、筐体７０と遮光部材８０を金属材料で構成したこの実施の形態２の赤外線カメラ１００による効果について、以下に説明する。
レンズユニット３をヒータ４で加熱しても、前述の通り、筐体７０と遮光部材８０の温度上昇は小さく、かつ、これら部品内での温度分布は均一となる。物体から放出される赤外線は、物体の温度が高い程大きくなるので、筐体７０と遮光部材８０の温度上昇が小さく、温度分布が均一であると、これら部品から放射される赤外線量も小さく、線量分布も均一となる。従って、これら部材の一部から放射され赤外線撮像素子５へ入射する不要赤外線量は小さく、かつ、局所的な増減も低減されるので、固定パターンノイズが低減された、より適切な撮像素子出力を得ることができる。
なお、遮光部材８０は筐体７０と一体化することで、部品点数を削減でき、製造コストを安価に抑制することが可能となることは言うまでもない。
【００３０】
実施の形態３．
上述の実施の形態１においては、筐体７が断熱部材によって構成され、赤外線カメラ１００を構成するヒータ４を、レンズユニット３の鏡筒２の赤外線撮像素子５に近い側の端面に配設した場合を例示していたが、この実施の形態３では、ヒータ４を鏡筒２の外側面に接して配置させる場合について説明する。
図３は、この実施の形態３の赤外線カメラ１００の側断面図であり、ヒータ４は、鏡筒２の外側面に接して配設されている。さらに、ヒータ４は、筐体７の筒状部７ａの内側面に接するように配置され、鏡筒２との間に保持されている。
なお、図３の例では、ヒータ４は、筐体７の内側面部の凹部に嵌め込まれた状態を示しているが、鏡筒２の外側面部に嵌め込まれていてもよく、また、埋設されていても良い。
【００３１】
上述したように、筐体７は、断熱部材によって構成されている。そのため、ヒータ４と筐体７とが直接的に接していても、ヒータ４の熱はレンズユニット３へ積極的に伝導され、筐体７に伝わりにくく、筐体７および遮光部材８は昇温しにくい状態となる。そのため、筐体７と遮光部材８から放射される不要な赤外線を少なく抑制することができる。  
また、上述の実施の形態１の場合と同様に、光軸１ａ方向において、鏡筒２と赤外線撮像素子５との間に遮光部材８を配設することによって、ヒータ４の動作に伴って放射される不要な赤外線を遮断できるため、ヒータ４の加熱によるレンズ周辺部の昇温の影響を排除することができ、良好な赤外線画像の撮像を行うことが可能となる。
【００３２】
実施の形態４．
上述の実施の形態２においては、熱伝導性部材よりなる筐体７０を用いるとともに、赤外線カメラ１００を構成するヒータ４を、レンズユニット３の鏡筒２の赤外線撮像素子５に近い側の端面に配設した場合を例示していたが、この実施の形態４では、熱伝導部材よりなる筐体７０を用い、ヒータ４を鏡筒２の外側面に接して配置させる場合について説明する。
図４は、この実施の形態４の赤外線カメラ１００の側断面図であり、ヒータ４は、鏡筒２の外側面に接した状態に配設されている。そして、ヒータ４は、熱伝導性部材である筐体７０の筒状部７ａの内側面側に、断熱部材９を介して配置され、鏡筒２との間に保持されている。
【００３３】
上述したように、筐体７０は、熱伝導性部材によって構成されている。そのため、実施の形態２の場合と同様に、ヒータ４と筐体７０とは、断熱部材９を介して配置されており、ヒータ４の熱は筐体７０に伝わりにくく、筐体７０および遮光部材８０は昇温しにくく、筐体７０と遮光部材８０から放射される不要な赤外線を少なく抑制することができる。
また、上述の実施の形態２の場合と同様に、遮光部材８０によって、ヒータ４の動作に
伴って放射される不要な赤外線を遮断できるため、ヒータ４の加熱によるレンズ周辺部の
昇温の影響を排除することができ、良好な赤外線画像の撮像を行うことが可能となる。
【００３４】
なお、上述したように、ヒータ４の配置は、鏡筒２と筐体７（または７０）との間に保持する以外に、鏡筒２の外側面に、筐体７（または７０）との間に挟持されない状態に配置することや、鏡筒２の内部に埋設した状態に配設すること、鏡筒２の内側面側に配設すること等も可能であることは言うまでもない。
【００３５】
なお、本発明は、その発明の範囲内において、各実施の形態を自由に組み合わせたり、各実施の形態を適宜、変形、省略することが可能である。
【符号の説明】
【００３６】
１  レンズ、１ａ  光軸、２  鏡筒、３  レンズユニット、４  ヒータ、５  赤外線撮像素子、６  基板、７、７０  筐体、７ａ  筒状部、７ｂ  本体部、８、８０  遮光部材、９  断熱部材、１００  赤外線カメラ
【図１】
2018077072.tif 000003
【図２】
2018077072.tif 000004
【図３】
2018077072.tif 000005
【図４】
2018077072.tif 000006
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
赤外線を集光するレンズと上記レンズを保持する鏡筒を有するレンズユニット、
上記レンズユニットに設けられ、上記レンズを加熱するヒータ、
上記レンズが集光した赤外線を撮像する赤外線撮像素子、
上記レンズユニットと断熱されて上記鏡筒の外側面側に固定され、上記赤外線撮像素子を収容する筐体、
上記レンズの光軸方向において、上記筐体内の上記鏡筒と上記赤外線撮像素子との間に配置され、上記赤外線撮像素子に向かって上記鏡筒および上記筐体から放射された上記レンズを透過していない赤外線を遮断する遮光部材を備えたことを特徴とする赤外線カメラ。
【請求項２】
上記筐体は、断熱部材によって構成されたことを特徴とする請求項１記載の赤外線カメラ。
【請求項３】
上記筐体は、熱伝導性部材によって構成され、上記鏡筒の外側面側に断熱部材を介して配設されたことを特徴とする請求項１記載の赤外線カメラ。
【請求項４】
上記遮光部材は、上記筐体の内側面から、上記レンズの光軸に向かって突出した形状であり、上記筐体と一体に設けられたことを特徴とする請求項１から３のいずれか一項記載の赤外線カメラ。
【請求項５】
上記ヒータは、上記鏡筒に設けられたことを特徴とする請求項１から４のいずれか一項記載の赤外線カメラ。
【請求項６】
上記ヒータは、上記レンズの光軸方向において、上記鏡筒の上記赤外線撮像素子に近い側の端面に、上記遮光部材の遮光面に対向するように設けられたことを特徴とする請求項１から５のいずれか一項記載の赤外線カメラ。
【請求項７】
上記ヒータは、上記鏡筒の外側面に接して設けられたことを特徴とする請求項１から５のいずれか一項記載の赤外線カメラ。
【請求項８】
上記ヒータは、上記筐体の内側面側に設けられ、上記鏡筒と上記筐体との間に保持されたことを特徴とする請求項７記載の赤外線カメラ。
【請求項９】
上記筐体は、樹脂材料によって構成されたことを特徴とする請求項１または請求項２記載の赤外線カメラ。
【請求項１０】
上記筐体は、金属材料によって構成されたことを特徴とする請求項１または請求項３記載の赤外線カメラ。
【手続補正２】
【補正対象書類名】明細書
【補正対象項目名】０００８
【補正方法】変更
【補正の内容】
【０００８】
この発明に係わる赤外線カメラは、赤外線を集光するレンズと上記レンズを保持する鏡筒を有するレンズユニット、上記レンズユニットに設けられ、上記レンズを加熱するヒータ、上記レンズが集光した赤外線を撮像する赤外線撮像素子、上記レンズユニットと断熱されて上記鏡筒の外側面側に固定され、上記赤外線撮像素子を収容する筐体、上記レンズの光軸方向において、上記筐体内の上記鏡筒と上記赤外線撮像素子との間に配置され、上記赤外線撮像素子に向かって上記鏡筒および上記筐体から放射された上記レンズを透過していない赤外線を遮断する遮光部材を備えたことを特徴とするものである。